(57)【要約】      （修正有）【課題】操作性を向上することができる集塵装置および当該集塵装置を使用した電動工具を提供する。【解決手段】電動工具１００の加工作業により生ずる粉塵を集塵する集塵装置２００は、バッテリ４００により駆動される粉塵吸引機構と、粉塵通路部と、粉塵収容部２０３と、使用者装着部と、を備える集塵ハウジングを有し、使用者装着部は、集塵ハウジングを使用者に装着可能に構成されている。【選択図】図７
2016179512.tif 000002
【特許請求の範囲】
【請求項１】
電動工具の加工作業により生ずる粉塵を集塵する集塵装置であって、
集塵ハウジングを有し、
前記集塵ハウジングは、バッテリにより駆動される粉塵吸引機構と、前記粉塵吸引機構に連結される粉塵通路部と、前記粉塵通路部を通じて集塵ハウジング内に移動された粉塵を収容する粉塵収容部と、使用者装着部と、を有し、
前記使用者装着部は、前記集塵ハウジングを使用者に装着可能に構成されていることを特徴とする集塵装置。
【請求項２】
請求項１に記載された集塵装置であって、
前記集塵ハウジングは、前記バッテリまたは前記バッテリに接続されたバッテリアダプタに対して着脱自在に構成されていることを特徴とする集塵装置。
【請求項３】
請求項１または２に記載された集塵装置であって、
前記集塵ハウジングは、装着部と、前記装着部に設けられた受電端子とを有し、
前記装着部は、前記バッテリが装着されるバッテリ用装着部を構成し、
前記受電端子は、前記バッテリの給電端子と接続されることを特徴とする集塵装置。
【請求項４】
請求項１〜３のいずれか一方に記載された集塵装置であって、
前記集塵ハウジングは、アダプタを有し、
前記アダプタは、導電線と、前記導電線の先端部に形成されるとともに前記電動工具が装着される給電装着部を有し、
前記給電装着部は、前記バッテリからの電流を前記電動工具に供給するアダプタ側給電端子を有することを特徴とする集塵装置。
【請求項５】
請求項３に記載された集塵装置であって、
前記装着部は、前記電動工具が装着される工具用装着部を兼用することを特徴とする集塵装置。
【請求項６】
請求項１〜５のいずれか１項に記載された集塵装置であって、
前記使用者装着部は、使用者の着用物を挟持可能に構成された挟持部を有し、
前記挟持部は、前記集塵ハウジングから延設するフック部材と、前記フック部材と対向する前記集塵ハウジングの所定領域とにより構成されることを特徴とする集塵装置。
【請求項７】
請求項３〜６のいずれか１項に記載された集塵装置であって、
前記集塵ハウジングは、前記装着部および前記受電端子を被覆可能に構成されたカバー部材を有することを特徴とする集塵装置。
【請求項８】
請求項１〜７のいずれか１項に記載された集塵装置を使用することを特徴とする電動工具。
【発明の詳細な説明】
【技術分野】
【０００１】
本発明は、粉塵を集塵する集塵装置および当該集塵装置を使用した電動工具に関する。
【背景技術】
【０００２】
特開２００２−３０７３３２号には、吸塵ブロワが設けられた電動工具が開示されている。当該電動工具は、電気ケーブルを介してバッテリから給電されるとともに、当該バッテリからの電流を吸塵ブロワに供給するように構成されていた。
当該構成によれば電動工具とバッテリが分離した状態であるため、作業者は電動工具の重量を軽減した状態で所定の加工作業および吸塵作業を行うことが可能であった。一方、加工作業における操作性を向上させるためには、さらなる改良が要望されていた。
【先行技術文献】
【特許文献】
【０００３】
【特許文献１】特開２００２−３０７３３２号公報
【発明の概要】
【発明が解決しようとする課題】
【０００４】
本発明はこのような点に鑑みて創案されたものであり、操作性を向上することができる集塵装置および当該集塵装置を使用する電動工具を提供することを目的とする。
【課題を解決するための手段】
【０００５】
上記課題を解決するため、本発明に係る集塵装置は、電動工具の加工作業により生ずる粉塵を集塵する集塵装置であって、集塵ハウジングを有する。電動工具は、バッテリで駆動されて所定の加工作業を行うための機構を有している。より具体的には、先端工具を直線駆動して打撃作業を行う工具や、先端工具を回転駆動して穿孔作業やねじ締め作業や切断作業を行う工具や、先端工具を往復移動して切断作業や剥離作業を行う工具が挙げられる。
【０００６】
集塵ハウジングは、バッテリにより駆動される粉塵吸引機構と、粉塵吸引機構に連結される粉塵通路部と、粉塵通路部を通じて集塵ハウジング内に移動された粉塵を収容する粉塵収容部と、使用者装着部と、を有する。粉塵吸引機構は、駆動モータと、当該駆動モータに接続されたファンとを有することができる。粉塵通路部は、集塵ハウジングから突出されるとともにホースを介して電動工具と接続される領域と、吸引した粉塵を粉塵収容部に誘導するために集塵ハウジングの内部に設けられる領域とを有することができる。粉塵収容部は、吸引した粉塵を収容する収容室と、当該収容室の粉塵を廃棄するために開閉される蓋部とを有することができる。
【０００７】
使用者装着部は、集塵ハウジングを使用者に装着可能に構成されている。この場合、使用者に装着可能であるとは、使用者の着用物に対し装着が可能であることを意味する。当該着用物の具体例としては、上着やズボンに代表される衣服や、当該衣服に装着される付属物が挙げられる。さらに、使用者装着部に装着される当該着用物の代表的な領域としては、衣服の場合は上着のポケット、ズボンの上縁部などが挙げられ、付属物の場合はズボンに装着されるベルトなどが挙げられる。さらに、使用者の衣服に対し集塵装置を装着するために特化した付属物を設けることが可能である。
本発明に係る集塵装置にあっては、使用者は、集塵ハウジングを衣服に装着した状態で電動工具を把持し、所定の加工作業を行うことができる。よって、使用者の手に係る負担が軽減するため操作性を向上することが可能となる。
【０００８】
また本発明に係る集塵装置における解決手段の一態様として、集塵ハウジングはバッテリまたはバッテリに接続されたバッテリアダプタに対して着脱自在に構成することができる。当該構成によって、集塵ハウジングにバッテリが装着された場合は、当該バッテリからの電流を集塵装置が直接的に受電することができる。
なお、バッテリアダプタを集塵ハウジングに装着する場合は、集塵装置本体とバッテリ本体とが分離する一方で、集塵装置とバッテリとはバッテリアダプタを介して電気的に接続する状態となる。よって、集塵装置とバッテリとを使用者の異なる領域にそれぞれ装着することが可能となる。
【０００９】
また本発明に係る集塵装置における解決手段の一態様として、集塵ハウジングは、装着部と、装着部に設けられた受電端子とを有することができる。装着部は、バッテリが装着されるバッテリ用装着部を構成する。受電端子は、バッテリの給電端子と接続される。
この態様に係る集塵装置によれば、バッテリ用装着部に対しバッテリを着脱自在とすることができる。また、受電端子がバッテリからの電流を受けるため、当該受電端子を介して集塵装置を駆動することが可能となり、さらに、当該受電端子を介して電動工具へ電流を供給することが可能となる。
すなわち、本態様に係る集塵装置にあっては、使用者は電動工具と集塵装置の双方を駆動するバッテリを、集塵装置とともに衣服に装着することができる。よって、使用者が把持する電動工具にバッテリを装着する必要が無くなるため、使用者はさらに操作性を向上することが可能となる。なお、バッテリは、複数の電動工具に対し共通して使用可能なものを選択することができる。
【００１０】
また本発明に係る集塵装置における解決手段の一態様として、集塵ハウジングは、アダプタを有することができる。アダプタは、導電線と、導電線の先端部に形成されるとともに電動工具が装着される給電装着部を有する。給電装着部は、バッテリからの電流を電動工具に供給するアダプタ側給電端子を有する。アダプタは、集塵ハウジングに対して着脱自在に構成することができる。また、給電装着部は、電動工具におけるバッテリの装着部と同一の構成とすることができる。これによって、電動工具に対しアダプタを装着するための格別な構成を設ける必要が無くなる。また、給電装着部が電動工具に装着された場合、アダプタ側給電端子は、電動工具の受電端子と接続される。
この態様に係る集塵装置によれば、集塵装置に装着されたバッテリの電流を、アダプタを介して電動工具に供給することができる。
【００１１】
また本発明に係る集塵装置における解決手段の一態様として、装着部は、電動工具が装着される工具用装着部を兼用することができる。
この態様に係る集塵装置によれば、使用者は、集塵装置を電動工具に装着した状態で加工作業と集塵作業を行うことが可能となる。すなわち、使用者は集塵装置と電動工具を一体化させた状態と、集塵装置と電動工具を分離した状態とを作業状況などに応じて選択することが可能となる。
なおこの態様においては、電動工具には、当該電動工具に装着されたバッテリの電流を供給するための工具側給電端子を設けることができる。この場合、前記装着部には当該工具側給電端子と接続される工具用受電端子を設けることができる。
【００１２】
また本発明に係る集塵装置における解決手段の一態様として、使用者装着部は、使用者の着用物を挟持可能に構成された挟持部を有することができる。挟持部は、集塵ハウジングから延設するフック部材と、フック部材と対向する前記集塵ハウジングの所定領域とにより構成される。フック部材は、集塵ハウジングから延出される側方延在部と、集塵ハウジングの当該所定領域と対向するように当該側方延在部から延出される対向部とを有する。なお、集塵ハウジングの当該所定領域は挟持領域を構成する。
本態様に係る集塵装置によれば、挟持部により使用者の着用物を挟持することが可能となるため、集塵ハウジングを着用物に適切に保持させることが可能となる。なお、挟持部は、対向部と挟持領域との間に着用物を配置することにより着用物を保持することが可能である。また、対向部が着用物を付勢するように、対向部を弾性体により構成することもできる。この場合は、対向部と挟持領域とにより着用物を保持することが可能となる。
【００１３】
また本発明に係る集塵装置における解決手段の一態様として、集塵ハウジングは、装着部および受電端子を被覆可能に構成されたカバー部材を有することができる。
本態様に係る集塵装置によれば、バッテリが装着された集塵装置と、電動工具とをアダプタを介して接続する場合には、カバー部材によりバッテリを被覆することにより装着部（バッテリ用装着部）と受電端子（バッテリ用受電端子）を保護することが可能となる。
なお、カバー部材を、集塵ハウジングに対し着脱自在に構成することもできる。当該構成によれば、集塵装置を電動工具に対し直接的に装着する場合に、カバー部材を集塵ハウジングから取り外して装着部（工具用装着部）を露出することができる。これによって、集塵装置と電動工具との直接的な装着作業を円滑に遂行することが可能となる。
【００１４】
また上記課題を解決するため、上述の構成を有する集塵装置を使用するための電動工具を構成することができる。当該電動工具は、アダプタの給電装着部とバッテリのいずれか一方が装着される給電要素用装着部と、集塵装置が装着される集塵装置用装着部とを有することができる。この場合、給電要素用装着部は、給電要素用受電端子を有する。また、電動工具は、集塵装置の工具用受電端子と接続される工具側給電端子を有する。
本発明に係る電動工具によれば、給電要素用装着部にアダプタが装着された状態においては、給電要素用受電端子はアダプタ側給電端子からの電流を受けることができる。また、給電要素用装着部にバッテリが装着されるとともに集塵装置用装着部に集塵装置が装着された状態においては、給電要素用受電端子はバッテリからの電流を受けるとともに工具側給電端子を通じて集塵装置に電流を供給することができる。
【発明の効果】
【００１５】
本発明によれば、操作性を向上することができる集塵装置および当該集塵装置を使用した電動工具を提供することが可能となる。
【図面の簡単な説明】
【００１６】
【図１】本発明の実施形態に係る集塵装置を示す斜視図である。
【図２】図１とは異なる角度から臨んだ状態の集塵装置を示す斜視図である。
【図３】使用者装着部の構成を示す説明図である。
【図４】アダプタを示す斜視図である。
【図５】図４とは異なる角度から臨んだ状態のアダプタを示す斜視図である。
【図６】集塵装置の内部機構を示す断面図である。
【図７】第１使用モードを示す説明図である。
【図８】第２使用モードを示す説明図である。
【図９】第３使用モードを示す説明図である。
【発明を実施するための形態】
【００１７】
（集塵装置および電動工具の概要）
以下、本発明に係る集塵装置および当該集塵装置を使用する電動工具の実施形態につき、図１〜図９に基づき説明する。図１には、本発明の実施形態に係る集塵装置２００が示される。図７、図８および図９には、本発明の実施形態に係る電動工具であるハンマドリル１００が示される。ハンマドリル１００は、先端工具を打撃駆動する打撃作業と、先端工具を回転駆動する穿孔作業と、打撃と穿孔を同時に行う打撃穿孔作業を実行できるよう構成される。この集塵装置２００が本発明に係る「集塵装置」の一例であり、ハンマドリル１００が本発明に係る「電動工具」の一例である。
本実施形態に係る集塵装置２００およびハンマドリル１００は、その接続形態に応じて３つの使用モードを設定することができる。
すなわち図７に示す通り、第１使用モードとして、バッテリ４００が装着された集塵装置２００を、アダプタ３００を介してハンマドリル１００と接続することができる。
また図８に示す通り、第２使用モードとして、集塵装置２００と、バッテリ４００が装着されたハンマドリル１００とを一体化することができる。
また図９に示す通り、第３使用モードとして、集塵装置２００とハンマドリル１００とをアダプタ３００を介して接続するとともに、集塵装置２００とバッテリ４００とをバッテリアダプタ５００を介して接続することができる。
【００１８】
（集塵装置の基本構成）
図１に示す通り、集塵装置２００は、粉塵吸引機構２１０と、粉塵吸引機構２１０に連結される粉塵通路部２２０と、粉塵通路部２２０を通じて移動された粉塵を収容する粉塵収容部２０３と、を備える集塵ハウジング２０１を有する。この粉塵吸引機構２１０が本発明に係る「粉塵吸引機構」の一例であり、粉塵通路部２２０が本発明に係る「粉塵通路部」の一例であり、粉塵収容部２０３が本発明に係る「粉塵収容部」の一例であり、集塵ハウジング２０１が本発明に係る「集塵ハウジング」の一例である。当該構成により、集塵装置２００は、ハンマドリル１００の加工作業により発生した粉塵を粉塵吸引機構２１０により吸引し、粉塵通路部２２０を通じて粉塵収容部２０３に収容することが可能となる。
【００１９】
集塵通路部２２０は、集塵ハウジング２０１から突出する突出通路部２２１を有する。便宜上、集塵装置２００において突出通路部２２１が形成される側を上側とし、当該上側と対向する側を下側とする。また、集塵装置２００において粉塵収容部２０３が形成される側を前側とし、当該前側と対向する側を後側とする。さらに、集塵装置２００は、その上側と下側をそれぞれ上方と下方に向けるとともに粉塵収容部２０３を正面から臨んだ状態において、右側と左側を規定する。この意味において、例えば図１は集塵装置２００を前側から臨むとともに右側面が確認可能な斜視図であり、図２は集塵装置２００を後から臨むとともに左側面が確認可能な斜視図であるということができる。
図１および図２に示す通り、集塵ハウジング２０１には集塵装置２００からハンマドリル１００へ電流を供給するためのアダプタ３００が設けられる。このアダプタ３００が本発明に係る「アダプタ」の一例である。
なお、粉塵吸引部２１０、粉塵通路部２２０、粉塵収容部２０３およびアダプタ３００の詳細な構成は後述する。
【００２０】
図１に示す通り、集塵ハウジング２０１はさらにカバー部材２０４を有する。カバー部材２０４は集塵ハウジング２０１を構成する本体部２０２に対し着脱自在とされる。このカバー部材２０４が本発明に係る「カバー部材」の一例である。カバー部材２０４は、回動軸部２０４ａを有し、本体部２０２は回動軸部２０４ａと嵌合する凹部を有する。当該構成により、カバー部材２０４は、本体部２０２に対し回動軸部２０４ａを中心として回動することが可能となる。カバー部材２０４は可撓性を有する合成樹脂により成型されている。よって使用者は、カバー部材２０４における回動軸部２０４ａが構成されている領域を撓ませて、回動軸部２０４ａと凹部の嵌合状態を解除することにより、カバー部材２０４を本体部２０２から取り外すことができる。
カバー部材２０４が閉じた状態にある場合、当該カバー部材２０４は装着部２４０および受電端子２５０を被覆する。この装着部２４０が本発明に係る「装着部」の一例である。なお、装着部２４０および受電端子２５０の詳細な説明については後述する。
【００２１】
図２に示す通り、集塵ハウジング２０１の左側面には、集塵装置２０１を使用者に取り付けるための使用者装着部２３０が設けられる。この使用者装着部２３０が本発明に係る「使用者装着部」の一例である。図３に示す通り、使用者装着部２３０はフック部材２３２を有する。このフック部材２３２が本発明に係る「フック部材」の一例である。
フック部材２３２は金属製であり、ねじなどの固定部材２３２ｄにより集塵ハウジング２０１に取り付けられる接続部２３２ａと、集塵ハウジング２０１から離間する方向へ接続部２３２ａから延出される側方延在部２３２ｂと、集塵ハウジング２０１の右側面における所定領域と対向するように側方延在部２３２ｂから延出される対向部２３２ｃとを有する。対向部２３２ｃと対向する集塵ハウジング２０１の領域は挟持領域２３３を構成する。この対向部２３２ｃと挟持領域２３３とにより、使用者の着用物を挟持する挟持部２３１が構成される。この挟持部２３１が本発明に係る「挟持部」の一例であり、挟持領域２３３が本発明に係る「フック部材と対向する集塵ハウジングの所定領域」の一例である。挟持部２３１によって、使用者のズボンの上縁部やベルトを挟持することにより、集塵装置２００を使用者に装着することができる。
【００２２】
（アダプタの構成）
次に、図１、図４、図５および図７に基づきアダプタ３００の説明を行う。アダプタ３００は、集塵装置２００とハンマドリル１００に亘り設けられ、集塵装置２００に装着されたバッテリ４００の電流をハンマドリル１００に供給する。この際、ハンマドリル１００からの指示信号を集塵装置２００へ送信することも可能である。このように構成した場合は、ハンマドリル１００における加工作業の開始に伴い集塵装置２００を駆動し、ハンマドリル１００における加工作業の終了に伴い集塵装置２００を停止することが可能となる。
【００２３】
図７に示す通り、アダプタ３００は、集塵ハウジング２０１から延出される第１延出部３０１と第１延出部３０１に接続される導電線３０２と、導電線３０２に接続される第２延出部３０３と、第２延出部３０３に接続される給電装着部３１０とを有する。この導電線３０２が本発明に係る「導電線」の一例であり、給電装着部３１０が本発明に係る「給電装着部」の一例である。
本実施形態において、第１延出部３０１は集塵ハウジング２０１と一体化されており、導電線３０２の一端部は当該第１延出部３０１に対して着脱自在に構成されている。なお、アダプタ３００の構成にあっては、第１延出部３０１を集塵ハウジング２０１に対し着脱自在とすることも可能である。いずれの場合であっても、アダプタ３００は集塵ハウジング２０１に対し着脱自在であるということができる。
また、集塵ハウジング２００とアダプタ３００とを着脱不可能に一体化することも可能である。
【００２４】
図７に示す通り、給電装着部３１０は、ハンマドリル１００の給電要素用装着部１７０に装着される。なお、給電要素用装着部１７０には、バッテリ４００を装着することも可能である。この意味において、給電装着部３１０とバッテリ４００の装着部４１０とは同一の構成とされる。
【００２５】
図４に示す通り、給電装着部３１０はアダプタ側給電端子３１１を有する。給電装着部３１０はスリット部３１１ｂが複数形成された突状部３１１ａを有する。アダプタ側給電端子３１１は、それぞれのスリット部３１１ｂに配置されている。図７に示す通り、アダプタ側給電端子３１１はハンマドリル１００の給電要素用受電端子１７１と接続される。
また、給電装着部３１０は、ハンマドリル１００の給電要素用装着部１７０に装着するために、溝部３１２と係合部３１３とを有する。ハンマドリル１００の給電要素用装着部１７０は、当該溝部３１２に対応する凸部と、係合部３１３に対応する被係合部とが設けられる。なお、ハンマドリル１００からアダプタ３００を取り外す場合には、図５に示す操作部３１３ａを操作することにより係合部３１３を給電装着部３１０内へと収納することができる。
【００２６】
また、給電装着部３１０における第２延出部３０３とは反対側の領域３１４には発光素子３１４が設けられる。発光素子３１４は、集塵装置２００にバッテリ４００が配置された場合に発光するよう構成される。発光素子３１４によって、照明が乏しい場所においても円滑に給電装着部３１０をハンマドリル１００に装着することが可能となる。さらに、使用者が給電装着部３１０を把持して作業現場における所望の領域を発光素子３１４により照射することが可能となる。
【００２７】
（集塵機構の内部機構の構成）
次に、図６に基づき集塵装置２００の内部機構を説明する。粉塵吸引機構２１０は、駆動モータ２１１と、駆動モータ２１１の出力軸部２１２に接続されたファン２１３を有する。
粉塵通路部２２０は、集塵ハウジング２０１から突出されるとともにホース２２３を介してハンマドリル１００と接続される突出通路部２２１と、吸引した粉塵を粉塵収容部２０３に誘導するために集塵ハウジング２０１の内部に設けられる内部通路部２２２とを有する。突出通路部２２１の端部は開口２２１ａが形成され、内部通路部２２２の端部には開口２２２ａが形成される。
粉塵収容部２０３は、吸引した粉塵を収容する収容室２０３ｄと、収容室２０３ｄの粉塵を廃棄するために開閉される蓋部２０３ａとを有する。蓋部２０３ａは回動軸部２０３ｂにより集塵ハウジング２０１に接続されている。また、収容室２０３ｄは粉塵を捕捉するフィルター２０３ｃを有する。
【００２８】
装着部２４０は、図６に示すバッテリ４００の装着部４１０と、図８に示すハンマドリル１００の集塵装置用装着部１８０と、図９に示すバッテリアダプタ５００のバッテリアダプタ給電装着部５１０とを装着できるよう構成される。受電端子２５０は、バッテリ用受電端子２５１と工具用受電端子２５２とにより構成される。バッテリ用受電端子２５１は、バッテリ４００のバッテリ給電端子４２０を接続することが可能であるとともに、図９に示すバッテリアダプタ５００のバッテリアダプタ側給電端子５１１を接続することができる。このバッテリアダプタ５００が本発明に係る「バッテリアダプタ」の一例である。
図６に示す通り、バッテリ用受電端子２５１は装着部２４０に形成される。また、工具用受電端子２５２は、ハンマドリル１００に集塵装置２００を装着した場合に、ハンマドリル１００の工具側給電端子１８１と接続可能な位置に形成される。このバッテリ用受電端子２５１が、本発明に係る「受電端子」の一例である。
【００２９】
当該構成によって、図７にて後述する第１使用モードの場合は、図６に示す通り、装着部２４０にバッテリ４００を装着する。この場合、装着部２４０はバッテリ用装着部２４１を構成する。なお、バッテリ４００のバッテリ給電端子４２０は、バッテリ用受電端子２５１と接続される。
また、図８にて後述する第２使用モードの場合は、装着部２４０にハンマドリル１００の集塵装置用装着部１８０を装着する。この場合、装着部２４０は工具用装着部２４２を構成する。なお、ハンマドリル１００の工具側給電端子１８１は、工具用受電端子２５２と接続される。このバッテリ用装着部２４１が本発明に係る「バッテリ用装着部」の一例であり、工具用装着部２４２が本発明に係る「工具用装着部」の一例である。
また、図９にて後述する第３使用モードの場合は、装着部２４０にバッテリアダプタ給電装着部５１０を装着する。この場合、装着部２４０はバッテリアダプタ用装着部２４３を構成する。なお、バッテリ４００のバッテリ給電端子４２０は、バッテリアダプタ５００におけるバッテリ用装着部５２０に形成された受電端子５２１と接続される。
なお第１使用モードにおいて、カバー部材２０４は、装着部２４０にバッテリ４００を装着した状態において、バッテリ４００を被覆することが可能である。また、第２使用モードおよび第３使用モードにおいて、カバー部材２０４は本体部２０２から分離される。
【００３０】
（ハンマドリルの構成）
次に、図７および図８に基づき、ハンマドリル１００の構成を説明する。
ハンマドリル１００は、バッテリ４００により駆動される駆動モータを有する。駆動モータは回転軸部を有し、回転軸部の回転動作に基づき先端工具を直線状に駆動する打撃動作機構と、回転軸部の回転動作に基づき先端工具を回転駆動する回転動作機構とを有する。駆動モータ、回転軸部、打撃動作機構および回転動作機構は、本体部１０１に収容される。
本体部１０１はさらに、使用者に把持されるグリップ部１０９と、使用者の指によって操作されるトリガ１０９ａを有する。
【００３１】
本体部１０１には、サイドグリップ１９５を取り付けるための取付バンド１９６が配置される。また、本体部１０１には、ホース２２３を介して集塵装置２００と接続される吸引部１９０が配置される。吸引部１９０は、本体部１０１に配置される吸引部本体１９１を有する。吸引部本体１９１は、ホース２２３の一端が接続されるホース接続部１９２と、操作開口１９３とを有する。また、吸引部本体１９１には、先端工具の周囲を包囲する集塵フード１９４が装着される。集塵フード１９４は先端側に開口を有するとともに伸縮可能に構成されている。このため、例えばハンマドリル１００が打撃動作を行う場合において、使用者が集塵フード１９４を被加工材に押し付ける動作に伴い、集塵フード１９４を縮小することが可能となる。また、先端工具を保持するチャック１９７を操作する場合、使用者は、操作開口１９３を通じて当該チャック１９７を操作することができる。
【００３２】
ハンマドリル１００はさらに、アダプタ３００の給電装着部３１０もしくはバッテリ４００が装着される給電要素用装着部１７０と、集塵装置２００の装着部２４０が装着される集塵装置用装着部１８０とを有する。給電要素用装着部１７０は、給電要素用受電端子１７１を有する。また、集塵装置用装着部１８０は、工具側給電端子１８１を有する。
【００３３】
（使用モードの説明）
次に、集塵装置２００とハンマドリル１００の第１使用モードに係る説明を図７に基づき説明する。図７に示す通り、第１使用モードにおいては、バッテリ４００は集塵装置２００のバッテリ用装着部２４１に装着され、バッテリ給電端子４２０とバッテリ用受電端子２５１とが接続される。集塵装置２００とハンマドリル１００はアダプタ３００を介して電気的に接続される。すなわち、アダプタ３００の給電装着部３１０がハンマドリル１００の給電要素用装着部１７０に装着され、アダプタ側給電端子３１１が給電要素用受電端子１７１に接続される。この場合、アダプタ３００は集塵装置２００を介してバッテリ４００の電流をハンマドリル１００に供給する。なお、ハンマドリル１００は電動工具側コントローラを有する。電動工具側コントローラはトリガ１０９ａの操作に応じてハンマドリル１００の駆動モータを駆動する。また、集塵装置２００は、集塵装置側コントローラを有する。電動工具側コントローラの信号は、アダプタ３００を通じて集塵装置側コントローラへ伝達される。この結果、トリガ１０９ａの操作と連動して集塵装置２００の吸引作業を行わせることが可能となる。
また、突出通路部２２１とホース接続部１９２とはホース２２３によって連続される。当該構成により、集塵フード１９４の開口から吸引された粉塵を、粉塵収容部２０３まで移送することが可能となる。
【００３４】
第１使用モードにおいては、使用者はバッテリ４００が装着された状態の集塵装置２００を着用物に装着する。よって、使用者はバッテリ４００を有さない状態のハンマドリル１００を把持すれば足りるため、肉体的な負担を減少した状態で加工作業を行うことが可能となる。
【００３５】
また、使用者装着部２３０が集塵ハウジング２０１の左側に配置されているため、集塵装置２００を使用者の左側に装着することができる。よって、特に使用者が右利きである場合には、集塵装置２００を加工作業の支障となりにくい位置に装着することが可能となる。なお、使用者装着部２３０を集塵ハウジング２０１に対し着脱自在とし、集塵ハウジング２０１の左右のいずれかに装着可能な構成とすることもできる。この場合は、使用者の利き腕や加工作業時の現場状況に応じて集塵ハウジング２０１に対する使用者装着部２３０の位置を選択することが可能となる。
【００３６】
さらに、集塵装置２００を使用者に装着した状態においては、アダプタ３００の第１延出部３０１は使用者の背側に延出される。よって、使用者の背側に導電線３０２を配置することができる。すなわち、導電線３０２を加工作業への影響を減少させる箇所に配置することが可能となる。
【００３７】
次に、集塵装置２００とハンマドリル１００の第２使用モードに係る説明を図８に基づき説明する。図８に示す通り、第２使用モードにおいては、バッテリ４００はハンマドリル１００の給電要素用装着部１７０に装着され、バッテリ給電端子４２０と給電要素用受電端子１７１とが接続される。集塵装置２００は、カバー部材２０４を取り外し、第１延出部３０１から導電線３０２を離脱させた状態でハンマドリル１００に装着される。具体的には、集塵装置２００の工具用装着部２４２がハンマドリル１００の集塵装置用装着部１８０に装着され、工具用受電端子２５２が工具側給電端子１８１に接続される。よって、バッテリ４００の電流は工具側給電端子１８１を介して集塵装置２００に供給される。
【００３８】
また、突出通路部２２１とホース接続部１９２とはホース２２３に連続される。これによって、集塵フード１９４の開口から吸引された粉塵を粉塵収容部２０３まで移送することが可能となる。なお、ホース２２３は、第１使用モードと第２使用モードに適した構成のものを選択的に使用することが可能である。
第２使用モードにおいては、使用者は集塵装置２００、ハンマドリル１００およびバッテリ４００を一体化した状態にて加工作業を行うことが可能となる。
【００３９】
次に、集塵装置２００とハンマドリル１００の第３使用モードに係る説明を図９に基づき説明する。図９に示す通り、第３使用モードにおいては、集塵装置２００とバッテリ４００とは、バッテリアダプタ５００を介して電気的に接続される。バッテリアダプタ５００は、バッテリ４００に装着されるバッテリ用装着部５２０と、バッテリ給電端子４２０と接続される受電端子５２１と、集塵装置２００の装着部２４０（バッテリアダプタ用装着部２４３）に装着されるバッテリアダプタ給電装着部５１０と、集塵装置２００の受電端子２５０（バッテリアダプタ用受電端子２５３）と接続されるバッテリアダプタ側給電端子５１１と、受電端子５２１とバッテリアダプタ側給電端子５１１とを連絡する導電線５０１とを有する。
バッテリ４００が装着されたバッテリ用装着部５２０は、使用者の着用物におけるポケットに収容される。一方、バッテリアダプタ５００のバッテリ用装着部５２０には、使用者に装着するためのバッテリアダプタ使用者装着部を構成することができる。当該バッテリアダプタ使用者装着部は、集塵装置２００の使用者装着部２３０と同一の構成とすることができる。
なお、集塵装置２００とハンマドリル１００とは、上述した第１使用モードと同じくアダプタ３００を介して接続される。
【００４０】
第３使用モードにおいては、使用者は、バッテリ４００が装着されていない状態の集塵装置２００と、バッテリ４００が装着されたバッテリ装着部５２０とを着用物に装着する。よって、使用者はバッテリ４００を有さない状態のハンマドリル１００を把持すれば足りるため、肉体的な負担を減少した状態で加工作業を行うことが可能となる。
さらに、使用者は、集塵装置２００とバッテリ４００とを分離した位置にて着用物に取り付けることができる。よって、使用者の身体における一部の領域に集塵装置２００とバッテリ４００とによる重量がかかることを防止することができる。
【００４１】
上述した通り、使用者は作業現場の状況や、自己の体調などを総合的に考慮し、第１使用モード、第２使用モードもしくは第３使用モードを選択することが可能となるため、操作性の高い加工作業を行うことが可能となる。
【００４２】
なお、本発明に係る集塵装置２００および電動工具１００は上述した構成に限定されるものではなく、種々の変更や応用を行うことが可能である。
【００４３】
（本実施形態の各構成要素と本発明の各構成要素の対応）
上述した実施形態における各構成要素と、本発明における各構成要素の対応関係を次の通り示す。
集塵装置２００は本発明に係る「集塵装置」の一例である。ハンマドリル１００は本発明に係る「電動工具」の一例である。粉塵吸引機構２１０は本発明に係る「粉塵吸引機構」の一例である。粉塵通路部２２０は本発明に係る「粉塵通路部」の一例である。粉塵収容部２０３は本発明に係る「粉塵収容部」の一例である。集塵ハウジング２０１は本発明に係る「集塵ハウジング」の一例である。アダプタ３００は本発明に係る「アダプタ」の一例である。カバー部材２０４は本発明に係る「カバー部材」の一例である。装着部２４０は本発明に係る「装着部」の一例である。使用者装着部２３０は本発明に係る「使用者装着部」の一例である。フック部材２３２は本発明に係る「フック部材」の一例である。挟持部２３１は本発明に係る「挟持部」の一例であり、挟持領域２３３は本発明に係る「フック部材と対向する集塵ハウジングの所定領域」の一例である。導電線３０２は本発明に係る「導電線」の一例である。給電装着部３１０は本発明に係る「給電装着部」の一例である。バッテリ用受電端子２５１は本発明に係る「受電端子」の一例である。バッテリ用装着部２４１は本発明に係る「バッテリ用装着部」の一例である。工具用装着部２４２は本発明に係る「工具用装着部」の一例である。バッテリアダプタ５００は本発明に係る「バッテリアダプタ」の一例である。
【００４４】
以上の発明の趣旨に鑑み、本発明に係る集塵装置および当該集塵装置を使用する電動工具は、下記の態様が構成可能である。
（態様１）
集塵ハウジングにおいて、突出通路部を上に向けるとともに粉塵収容部を正面から見た場合、使用者装着部は左側に配置されることを特徴とする。
（態様２）
集塵ハウジングにおいて、アダプタは粉塵収容部とは反対側の領域に配置されることを特徴とする。
（態様３）
アダプタは、集塵ハウジングに着脱自在に構成されることを特徴とする。
（態様４）
装着部は、バッテリに接続されたバッテリアダプタが装着されるバッテリアダプタ用装着部を兼用することを特徴とする。
（態様５）
受電端子は、バッテリアダプタに形成されたバッテリアダプタ側給電端子と接続するバッテリアダプタ用受電端子を兼用することを特徴とする。
（態様６）
電動工具は、アダプタの給電装着部とバッテリのいずれか一方が装着される給電要素用装着部と、集塵装置が装着される集塵装置用装着部と、工具側給電端子とを有し、
前記給電要素用装着部は、給電要素用受電端子を有し、
前記給電要素用装着部に前記アダプタが装着された状態においては、前記給電要素用受電端子は前記アダプタ側給電端子からの電流を受け、
前記給電要素用装着部に前記バッテリが装着されるとともに前記集塵装置用装着部に前記集塵装置が装着された状態においては、前記給電要素用受電端子は前記バッテリからの電流を受けるとともに前記工具側給電端子を通じて前記集塵装置に電流を供給するように構成されていることを特徴とする。
（態様７）
集塵装置は集塵装置側コントローラを有し、
電動工具は、使用者に操作されるトリガと、トリガの操作状態に基づき駆動モータを制御する電動工具側コントローラとを有し、
前記電動工具側コントローラからの信号を、アダプタを介して集塵装置側コントローラへ送信することにより、電動工具と集塵装置とを連動して操作することが可能に構成されることを特徴とする。
【符号の説明】
【００４５】
１００  ハンマドリル（電動工具）
１０１  本体部
１０９  グリップ部
１０９ａ  トリガ
１７０  給電要素用装着部
１７１  給電要素用受電端子
１８０  集塵装置用装着部
１８１  工具側給電端子
１９０  吸引部
１９１  吸引部本体
１９２  ホース接続部
１９３  操作開口
１９４  集塵フード
１９５  サイドグリップ
１９６  取付バンド
１９７  チャック
２００  集塵装置
２０１  集塵ハウジング
２０２  本体部
２０３  粉塵収容部
２０３ａ  蓋部
２０３ｂ  回動軸部
２０３ｃ  フィルター
２０３ｄ  収容室
２０４  カバー部材
２０４ａ  回動軸部
２１０  粉塵吸引機構
２１１  駆動モータ
２１２  出力軸部
２１３  ファン
２２０  粉塵通路部
２２１  突出通路部
２２１ａ  開口
２２２  内部通路部
２２２ａ  開口
２２３  ホース
２３０  使用者装着部
２３１  挟持部
２３２  フック部材
２３２ａ  接続部
２３２ｂ  側方延在部
２３２ｃ  対向部
２３２ｄ  固定部材
２３３  挟持領域
２４０  装着部
２４１  バッテリ用装着部
２４２  工具用装着部
２４３  バッテリアダプタ用装着部
２５０  受電端子
２５１  バッテリ用受電端子
２５２  工具用受電端子
２５３  バッテリアダプタ用受電端子
３００  アダプタ
３０１  第１延出部
３０２  導電線
３０３  第２延出部
３１０  給電装着部
３１１  アダプタ側給電端子
３１１ａ  突状部
３１１ｂ  スリット部
３１２  溝部
３１３  係合部
３１３ａ  操作部
３１４  発光素子
４００  バッテリ
４１０  装着部
４２０  バッテリ給電端子
５００  バッテリアダプタ
５０１  導電線
５１０  バッテリアダプタ給電装着部
５１１  バッテリアダプタ側給電端子
５２０  バッテリ用装着部
５２１  受電端子
【図１】
2016179512.tif 000003
【図２】
2016179512.tif 000004
【図３】
2016179512.tif 000005
【図４】
2016179512.tif 000006
【図５】
2016179512.tif 000007
【図６】
2016179512.tif 000008
【図７】
2016179512.tif 000009
【図８】
2016179512.tif 000010
【図９】
2016179512.tif 000011